(57)【要約】【課題】FFT後の信号を用いて、妨害の有無を正確に検出することができるようにする。【解決手段】アナログ放送妨害検出部１２１においては、アナログ放送の映像キャリア等の周波数特性が周期的なピークを持つことを利用して、アナログ放送波による妨害の有無が検出される。いま受信しているOFDM信号のチャンネルがアナログ放送波による妨害を受けている場合、アナログ放送波の各キャリアの成分は、同じ周波数のサブキャリアに対するノイズとして検出される。アナログ放送の映像キャリア等の周波数特性は周期的なピークを持っているから、サブキャリア毎のノイズのパワーの周波数特性が周期的なピークを持つような形で検出された場合、そのことは、アナログ放送波による妨害を受けていることを表す。本発明は、OFDM方式の放送波の受信装置に適用することができる。【選択図】図６
2010087744.tif 000002
【特許請求の範囲】
【請求項１】
所定のチャンネルのOFDM時間領域信号に対してFFTを施すFFT手段と、
FFTが施されることによって得られたOFDM周波数領域信号に含まれるパイロット信号に基づいて全サブキャリアの伝送路特性を推定し、伝送路特性に基づいてサブキャリア毎のノイズのパワーを推定する推定手段と、
前記推定手段により推定されたサブキャリア毎のノイズのパワーがサブキャリア方向に周期的なピークを持つ場合に妨害波があるとして検出するように、前記所定のチャンネルに対する妨害波の有無をサブキャリア毎のノイズのパワーに基づいて検出する検出手段と
を備える受信装置。
【請求項２】
前記所定のチャンネルに対する妨害波があることが前記検出手段により検出された場合、FFTの対象となる前記OFDM時間領域信号に含まれる、前記所定のチャンネルに対する妨害波の成分を除去する除去手段と
を備える請求項１に記載の受信装置。
【請求項３】
妨害波はアナログ放送波であり、
前記除去手段は、アナログ放送の映像キャリア、カラーキャリア、音声キャリアのうちの少なくともいずれかの周波数帯域に対応する範囲の信号成分を減衰させるフィルタをFFTの対象となる前記OFDM時間領域信号にかけることによって、妨害波の成分を除去する
請求項２に記載の受信装置。
【請求項４】
所定の周波数の正弦波の信号を生成する生成手段と、
前記生成手段により生成された信号と、前記推定手段により推定されたサブキャリア毎のノイズのパワーを表す信号を乗算する乗算手段と、
前記乗算手段による乗算結果を積分する積分手段と
をさらに備え、
前記検出手段は、前記積分手段による積分結果があらかじめ設定されている閾値を越えた場合、サブキャリア毎のノイズのパワーがサブキャリア方向に周期的なピークを持つと判断する
請求項１に記載の受信装置。
【請求項５】
前記生成手段は、アナログ放送における水平同期周波数と同じ周波数の正弦波の信号を生成し、
前記積分手段は、アナログ放送の映像キャリアのパワーが最大となる周波数を含む帯域内のサブキャリアについての前記乗算手段による乗算結果を積分して第１の積分結果を求めるとともに、アナログ放送のカラーキャリアのパワーが最大となる周波数を含む帯域内のサブキャリアについての前記乗算手段による乗算結果を積分して第２の積分結果を求め、
前記検出手段は、前記第１の積分結果から前記第２の積分結果を引いて得られた結果と閾値を比較する
請求項４に記載の受信装置。
【請求項６】
前記生成手段は、アナログ放送における水平同期周波数の２倍の周波数の正弦波の信号を生成し、
前記積分手段は、アナログ放送の映像キャリアのパワーが最大となる周波数とカラーキャリアのパワーが最大となる周波数を含む帯域内のサブキャリアについての前記乗算手段による乗算結果を積分する
請求項４に記載の受信装置。
【請求項７】
前記生成手段は、アナログ放送における水平同期周波数の整数倍の周波数を持つ正弦波を生成する
請求項４に記載の受信装置。
【請求項８】
所定のチャンネルのOFDM時間領域信号に対してFFTを施し、
FFTを施すことによって得られたOFDM周波数領域信号に含まれるパイロット信号に基づいて全サブキャリアの伝送路特性を推定し、伝送路特性に基づいてサブキャリア毎のノイズのパワーを推定し、
推定したサブキャリア毎のノイズのパワーがサブキャリア方向に周期的なピークを持つ場合に妨害波があるとして検出するように、前記所定のチャンネルに対する妨害波の有無をサブキャリア毎のノイズのパワーに基づいて検出する
ステップを含む受信方法。
【請求項９】
所定のチャンネルのOFDM時間領域信号に対してFFTを施し、
FFTを施すことによって得られたOFDM周波数領域信号に含まれるパイロット信号に基づいて全サブキャリアの伝送路特性を推定し、伝送路特性に基づいてサブキャリア毎のノイズのパワーを推定し、
推定したサブキャリア毎のノイズのパワーがサブキャリア方向に周期的なピークを持つ場合に妨害波があるとして検出するように、前記所定のチャンネルに対する妨害波の有無をサブキャリア毎のノイズのパワーに基づいて検出する
ステップを含む処理をコンピュータに実行させるプログラム。
【発明の詳細な説明】
【技術分野】
【０００１】
本発明は、受信装置、受信方法、およびプログラムに関し、特に、FFT後の信号を用いて、妨害の有無を正確に検出することができるようにした受信装置、受信方法、およびプログラムに関する。
【背景技術】
【０００２】
地上デジタル放送の変調方式として、直交周波数分割多重方式（OFDM(Orthogonal Frequency Division Multiplexing)方式）と呼ばれる変調方式が用いられている。
【０００３】
OFDM方式においては、伝送帯域内に多数の直交するサブキャリアが設けられる。それぞれのサブキャリアの振幅および位相にデータが割り当てられ、PSK(Phase Shift Keying)やQAM(Quadrature Amplitude Modulation)によりデジタル変調が行われる。
【０００４】
OFDM方式は、多数のサブキャリアで伝送帯域全体を分割するため、サブキャリア１波あたりの帯域は狭くなり、伝送速度は遅くなるが、トータルの伝送速度は従来の変調方式と変わらないという特徴を有している。
【０００５】
OFDM方式においては、複数のサブキャリアに対してデータの割り当てが行なわれることから、変調は、逆フーリエ変換を行うIFFT(Inverse Fast Fourier Transform)演算によって行うことができる。また、変調の結果得られるOFDM信号の復調は、フーリエ変換を行うFFT(Fast Fourier Transform)演算によって行うことができる。
【０００６】
従って、OFDM信号を送信する送信装置は、IFFT演算を行う回路を用いて構成することができ、OFDM信号を受信する受信装置は、FFT演算を行う回路を用いて構成することができる。
【０００７】
以上のような特徴から、OFDM方式は、マルチパス妨害の影響を強く受ける地上デジタル放送に適用されることが多い。OFDM方式を採用した地上デジタル放送の規格としては、例えば、DVB-T(Digital Video Broadcasting-Terrestrial)やISDB-T(Integrated Services Digital Broadcasting-Terrestrial)、ISDB-TSBといった規格がある。
【０００８】
図１は、OFDMシンボルを示す図である。
【０００９】
OFDM方式においては、信号の伝送はOFDMシンボルと呼ばれる単位で行われる。
【００１０】
図１に示すように、１OFDMシンボルは、送信時にIFFTが行われる信号区間である有効シンボルと、有効シンボルの後半の一部分の波形がコピーされたガードインターバル（以下、GIという）から構成される。
【００１１】
GIは、時間軸上で有効シンボルの前の位置に挿入される。OFDM方式では、GIを挿入することにより、マルチパス環境下において発生するOFDMシンボル間の干渉を防ぐことが可能になる。
【００１２】
OFDMシンボルの有効シンボルの長さ、すなわち、ガードインターバルを含まない長さである有効シンボル長をTu［秒］、サブキャリアどうしの間隔をFc［Hz］とすると、式Fc＝１／Tuの関係が成り立つ。
【００１３】
このようなOFDMシンボルが複数集められて１つのOFDM伝送フレームが形成される。例えば、ISDB-T規格においては、２０４のOFDMシンボルから１つのOFDM伝送フレームが形成される。このOFDM伝送フレームの単位を基準として、パイロット信号の挿入位置が定められている。
【００１４】
各サブキャリアに対する変調方式としてQAM系の変調方式を用いるOFDM方式においては、伝送時にマルチパス等の影響を受けることにより、サブキャリア毎に、振幅および位相が送信時のものと受信時のものとで異なるものになってしまう。そのため、受信側では、受信信号の振幅および位相が送信されたものと等しくなるように信号の等化を行う必要がある。
【００１５】
OFDM方式では、送信側で、所定の振幅および所定の位相を有する既知信号をパイロット信号として伝送シンボル内に離散的に挿入しておき、受信側で、パイロット信号の振幅および位相に基づいて伝送路の周波数特性を求め、受信信号を等化するようにしている。このように伝送路特性を算出するために用いられるパイロット信号のことをスキャッタードパイロット信号（以下、SP信号）という。
【００１６】
図２は、DVB-T規格やISDB-T規格で採用されているSP信号のOFDMシンボル内での配置パターンを示す図である。
【００１７】
図２の横軸はOFDM信号のサブキャリアを特定するサブキャリア番号を表し、縦軸はOFDM信号のOFDMシンボルを特定するOFDMシンボル番号を表す。サブキャリア番号は周波数に対応し、OFDMシンボル番号は時間に対応する。
【００１８】
図２の白丸は各サブキャリアによって伝送されるシンボルのデータを表し、黒丸はSP信号を表す。図２に示すように、ISDB-T規格においては、SP信号が、時間方向には４個のOFDMシンボル毎に配置され、周波数方向には１２個のサブキャリア毎に配置される。
【００１９】
図３は、従来のOFDM受信装置の構成例を示すブロック図である。
【００２０】
アンテナ１０１は、図示せぬ放送局の送信装置から送信されてくるOFDM信号の放送波を受信し、その放送波をRF(Radio Frequency)信号に変換してチューナ１０２に出力する。
【００２１】
チューナ１０２は演算部１０２ａと局部発振器１０２ｂから構成される。演算部１０２ａは、アンテナ１０１からのRF信号と、局部発振器１０２ｂからの信号を乗算することによってRF信号をIF(Intermediate Frequency)信号に周波数変換し、IF信号をBPF１０３に出力する。
【００２２】
局部発振器１０２ｂは、所定の周波数の正弦波の信号を発振し、演算部１０２ａに出力する。
【００２３】
BPF(Band Pass Filter)１０３は、チューナ１０２からのIF信号をフィルタリングし、A/D変換部１０４に出力する。
【００２４】
A/D変換部１０４は、BPF１０３からのIF信号をA/D変換し、その結果得られるデジタルのIF信号を直交復調部１０５に出力する。
【００２５】
直交復調部１０５は、所定の周波数のキャリアを用いて、A/D変換部１０４からのIF信号を直交復調し、ベースバンドのOFDM信号を出力する。
【００２６】
以下、FFT演算が行われる前のベースバンドのOFDM信号をOFDM時間領域信号という。OFDM時間領域信号は、直交復調された結果、実軸成分（Ｉチャンネル信号）と虚軸成分（Ｑチャンネル信号）を含んだ複素信号となる。直交復調部１０５から出力されたOFDM時間領域信号はオフセット補正部１０６に供給される。
【００２７】
オフセット補正部１０６は、直交復調部１０５からのOFDM時間領域信号を対象として各種のずれの補正を行う。例えば、A/D変換部１０４でのサンプリングのオフセット（サンプリングのタイミングのずれの補正）や、直交復調部１０５のキャリアの周波数のオフセット（送信装置で用いられているキャリアの周波数とのずれの補正）が行われる。
【００２８】
オフセット補正部１０６で処理が施されたOFDM時間領域信号は妨害キャンセル部１０７に供給される。
【００２９】
妨害キャンセル部１０７は、アナログ放送妨害検出部１０９による検出結果に応じて、適宜、妨害波としての同一チャンネルに存在するアナログ放送波の成分をキャンセルするためのフィルタリング処理を行う。アナログ放送妨害検出部１０９からは、いま受信しているOFDM信号のチャンネルに対する、アナログ放送波による妨害の有無の検出結果が供給されてくる。
【００３０】
フィルタリング処理においては、アナログ放送波の信号が存在する帯域に対応する範囲の信号を減衰させるようなゲインがOFDM時間領域信号にかけられる。妨害キャンセル部１０７は、フィルタリング処理を行うことによって得られたOFDM時間領域信号をFFT部１０８に出力する。
【００３１】
FFT部１０８は、図示せぬシンボルタイミング再生回路から供給されるシンボル同期信号に従って、FFTを行う信号区間であるFFT区間を設定し、FFT区間のOFDM時間領域信号を妨害キャンセル部１０７からのOFDM時間領域信号から抽出する。
【００３２】
FFT部１０８は、抽出したFFT区間の信号を対象としてFFT演算を行う。OFDM時間領域信号に対するFFT演算により、サブキャリアで送信されてきたデータ、すなわち、IQコンスタレーション上の伝送シンボルを表すOFDM信号が得られる。
【００３３】
OFDM時間領域信号に対するFFT演算により得られるOFDM信号は周波数領域の信号である。以下、適宜、FFT演算が行われた後のOFDM信号をOFDM周波数領域信号という。OFDM周波数領域信号はアナログ放送妨害検出部１０９、伝送路特性推定部１１０、および伝送路歪み補正部１１１に供給される。
【００３４】
アナログ放送妨害検出部１０９は、OFDM周波数領域信号を用いて、同一チャンネルに存在するアナログ放送波による妨害の有無を検出し、検出結果を妨害キャンセル部１０７に出力する。
【００３５】
伝送路特性推定部１１０は、FFT部１０８からのOFDM周波数領域信号において図２に示すように配置されたパイロット信号を用いて、各サブキャリアに対する伝送路特性を推定する。伝送路特性推定部１１０は、推定した伝送路特性を表すデータである伝送路推定値を伝送路歪み補正部１１１とCSI(Channel State Information)生成部１１２に出力する。
【００３６】
また、伝送路特性推定部１１０は、サブキャリア毎のノイズのパワーを伝送路特性に基づいて推定し、推定値をCSI生成部１１２に出力する。
【００３７】
伝送路歪み補正部１１１は、FFT部１０８からのOFDM周波数領域信号を、伝送路特性推定部１１０からの伝送路推定値で除算することによって、OFDM周波数領域信号が伝送路で受けた振幅と位相の歪みを補正する。伝送路歪み補正部１１１は、歪みを補正したOFDM周波数領域信号を等化信号として誤り訂正部１１３に出力する。
【００３８】
CSI生成部１１２は、サブキャリア毎の伝送路特性とノイズパワーを用いて、サブキャリア毎の信号品質を表す情報を生成し、誤り訂正部１１３に出力する。サブキャリア毎の信号品質を表す情報として、例えばサブキャリア毎のSNR(Signal to Noise Ratio)が生成される。
【００３９】
誤り訂正部１１３は、伝送路歪み補正部１１１から供給された等化信号に対してデインタリーブ処理を施し、さらに、デンパンクチャ、ビタビ復号、拡散信号除去、RS復号などの処理を施す。これらの処理の内容が、CSI生成部１１２により求められた信号品質によって切り替えられる。誤り訂正部１１３は、各種の処理を施すことによって得られたデータを復号データとして後段に出力する。
【００４０】
ここで、デジタル放送に対する、アナログ放送波による同一チャンネル妨害について説明する。
【００４１】
図４は、日本におけるデジタル放送の周波数とNTSC(National Television System Committee)方式のアナログ放送の周波数の関係を示す図である。
【００４２】
図４の横軸は周波数を表し、縦軸は信号のパワーを表す。図４に示すように、デジタル放送の１チャンネルには６MHzの帯域幅が割り当てられる。
【００４３】
図４に示すように、OFDM信号の下端のサブキャリア（サブキャリア番号０のサブキャリア）は、チャンネルの下端の周波数から５／１４［MHz］の位置に存在する。また、上端のサブキャリア（サブキャリア番号が最大のサブキャリア）はチャンネルの上端の周波数から１／１４［MHz］の位置に存在する。
【００４４】
すなわち、図４において矩形波で示すOFDM信号はサブキャリアの集まりを表す。図４の矩形波で示す範囲に、OFDMのサブキャリアが約１kHz間隔で存在する。他の図においても同様である。
【００４５】
一方、アナログ放送の映像、カラー、音声の各キャリアは、チャンネルの下端の周波数から、それぞれ、１．２５［MHz］、４．８３［MHz］、５．７５［MHz］の位置に存在する。
【００４６】
この例の場合、パワーの大きいアナログ放送の映像信号などがOFDM信号のサブキャリアに重畳する形で存在することから、アナログ放送波による妨害があるものとして検出されることになる。
【００４７】
図５は、アナログ放送波による妨害の有無についての従来の検出方法について示す図である。
【００４８】
図５の網掛け部分に示すようなアナログ放送の映像、カラー、音声の各キャリアに対応する、FFT後のOFDM周波数領域信号のサブキャリアに着目し、その全てもしくは一部のサブキャリアのパワーを測定する方法が知られている。測定したパワーが閾値を超えている場合、アナログ放送波による妨害があるものとして検出される。
【００４９】
パワーに基づく検出は、FFT後のOFDM周波数領域信号ではなく、OFDM時間領域信号にバンドパスフィルタを通して一部の周波数帯域の信号を抽出し、そのパワーを測定することによっても達成可能である。
【００５０】
【特許文献１】２００５−３１１５７０号公報
【発明の開示】
【発明が解決しようとする課題】
【００５１】
妨害波の成分のキャンセルは、アナログ放送波による妨害が実際にあるときには、その効果を発揮して受信性能を改善させる。
【００５２】
ところが、妨害がない場合に妨害波の成分のキャンセルを行うと、実際には妨害を受けていないOFDM周波数領域信号を減衰させてしまうことになるため、受信性能が劣化する。
【００５３】
このことから、アナログ放送波による妨害の有無を正確に検出することは、受信器の性能を決める上で重要な要素となる。
【００５４】
妨害の有無の検出方法としては、上述したようにFFT後のOFDM周波数領域信号を用いて、サブキャリアのパワーを測定して検出する方法が知られているが、この方法には次のような問題がある。
【００５５】
１つ目は、妨害があるとして検出され、一旦、妨害波成分をキャンセルさせるためのフィルタリング処理がONになると、以降、妨害の有無を正確に検出することが出来なくなるというものである。
【００５６】
これは、フィルタリング処理を行う妨害キャンセル部１０７が時間領域の信号を扱う部分にあり、フィルタリング処理がONになると、妨害キャンセル部１０７以降のブロックでは妨害波成分を検出することができなくなることによる。
【００５７】
２つ目は、実際にはアナログ放送波による妨害がないにも関わらず、伝送路におけるマルチパスの状況によっては、偶然、アナログ放送の信号の周波数帯域において強いパワーが検出されることがあるというものである。このような周波数帯域において強いパワーが検出された場合、アナログ放送波による妨害があるものとして誤った判定がされてしまう。
【００５８】
FFT後のOFDM周波数領域信号ではなく、OFDM時間領域信号にバンドパスフィルタを通して抽出した信号のパワーを測定する上述した方法によっても、１つ目の問題は解決できたとしても２つ目の問題はやはり解決できない。
【００５９】
本発明はこのような状況に鑑みてなされたものであり、FFT後の信号を用いて、妨害の有無を正確に検出することができるようにするものである。
【課題を解決するための手段】
【００６０】
本発明の一側面の受信装置は、所定のチャンネルのOFDM時間領域信号に対してFFTを施すFFT手段と、FFTが施されることによって得られたOFDM周波数領域信号に含まれるパイロット信号に基づいて全サブキャリアの伝送路特性を推定し、伝送路特性に基づいてサブキャリア毎のノイズのパワーを推定する推定手段と、前記推定手段により推定されたサブキャリア毎のノイズのパワーがサブキャリア方向に周期的なピークを持つ場合に妨害波があるとして検出するように、前記所定のチャンネルに対する妨害波の有無をサブキャリア毎のノイズのパワーに基づいて検出する検出手段とを備える。
【００６１】
前記所定のチャンネルに対する妨害波があることが前記検出手段により検出された場合、FFTの対象となる前記OFDM時間領域信号に含まれる、前記所定のチャンネルに対する妨害波の成分を除去する除去手段をさらに設けることができる。
【００６２】
妨害波はアナログ放送波であり、前記除去手段には、アナログ放送の映像キャリア、カラーキャリア、音声キャリアのうちの少なくともいずれかの周波数帯域に対応する範囲の信号成分を減衰させるフィルタをFFTの対象となる前記OFDM時間領域信号にかけることによって、妨害波の成分を除去させることができる。
【００６３】
所定の周波数の正弦波の信号を生成する生成手段と、前記生成手段により生成された信号と、前記推定手段により推定されたサブキャリア毎のノイズのパワーを表す信号を乗算する乗算手段と、前記乗算手段による乗算結果を積分する積分手段とをさらに設けることができる。この場合、前記検出手段には、前記積分手段による積分結果があらかじめ設定されている閾値を越えた場合、サブキャリア毎のノイズのパワーがサブキャリア方向に周期的なピークを持つと判断させることができる。
【００６４】
前記生成手段には、アナログ放送における水平同期周波数と同じ周波数の正弦波の信号を生成させ、前記積分手段には、アナログ放送の映像キャリアのパワーが最大となる周波数を含む帯域内のサブキャリアについての前記乗算手段による乗算結果を積分して第１の積分結果を求めさせるとともに、アナログ放送のカラーキャリアのパワーが最大となる周波数を含む帯域内のサブキャリアについての前記乗算手段による乗算結果を積分して第２の積分結果を求めさせ、前記検出手段には、前記第１の積分結果から前記第２の積分結果を引いて得られた結果と閾値を比較させることができる。
【００６５】
前記生成手段には、アナログ放送における水平同期周波数の２倍の周波数の正弦波の信号を生成させ、前記積分手段には、アナログ放送の映像キャリアのパワーが最大となる周波数とカラーキャリアのパワーが最大となる周波数を含む帯域内のサブキャリアについての前記乗算手段による乗算結果を積分させることができる。
【００６６】
前記生成手段には、アナログ放送における水平同期周波数の整数倍の周波数を持つ正弦波を生成させることができる。
【００６７】
本発明の一側面の受信方法またはプログラムは、所定のチャンネルのOFDM時間領域信号に対してFFTを施し、FFTを施すことによって得られたOFDM周波数領域信号に含まれるパイロット信号に基づいて全サブキャリアの伝送路特性を推定し、伝送路特性に基づいてサブキャリア毎のノイズのパワーを推定し、推定したサブキャリア毎のノイズのパワーがサブキャリア方向に周期的なピークを持つ場合に妨害波があるとして検出するように、前記所定のチャンネルに対する妨害波の有無をサブキャリア毎のノイズのパワーに基づいて検出するステップを含む。
【００６８】
本発明の一側面においては、所定のチャンネルのOFDM時間領域信号に対してFFTが施され、FFTが施されることによって得られたOFDM周波数領域信号に含まれるパイロット信号に基づいて全サブキャリアの伝送路特性が推定され、伝送路特性に基づいてサブキャリア毎のノイズのパワーが推定される。また、推定されたサブキャリア毎のノイズのパワーがサブキャリア方向に周期的なピークを持つ場合に妨害波があるとして検出するように、前記所定のチャンネルに対する妨害波の有無がサブキャリア毎のノイズのパワーに基づいて検出される。
【発明の効果】
【００６９】
本発明によれば、FFT後の信号を用いて、妨害の有無を正確に検出することができる。
【発明を実施するための最良の形態】
【００７０】
［受信装置の構成例］
図６は、本発明の一実施形態に係るOFDM受信装置の構成例を示す図である。
【００７１】
図６の構成のうち、図３の構成と同じ構成には同じ符号を付してある。重複する説明については適宜省略する。
【００７２】
図６の例においては、図３のアナログ放送妨害検出部１０９に替えてアナログ放送妨害検出部１２１が設けられている。
【００７３】
後に詳述するように、アナログ放送妨害検出部１２１においては、アナログ放送の映像キャリア等の周波数特性が周期的なピークを持つことを利用して、アナログ放送波による妨害の有無が検出される。
【００７４】
アンテナ１０１は、OFDM信号の放送波を受信し、RF信号に変換してチューナ１０２に出力する。
【００７５】
チューナ１０２の演算部１０２ａは、アンテナ１０１からのRF信号と、局部発振器１０２ｂからの信号を乗算することによってRF信号をIF信号に周波数変換し、IF信号をBPF１０３に出力する。
【００７６】
BPF１０３は、チューナ１０２からのIF信号をフィルタリングし、A/D変換部１０４に出力する。
【００７７】
A/D変換部１０４は、BPF１０３からのIF信号をA/D変換し、デジタルのIF信号を直交復調部１０５に出力する。
【００７８】
直交復調部１０５は、A/D変換部１０４からのIF信号を直交復調し、ベースバンドのOFDM信号であるOFDM時間領域信号をオフセット補正部１０６に出力する。
【００７９】
オフセット補正部１０６は、直交復調部１０５からのOFDM時間領域信号を対象として各種のずれの補正を行い、ずれを補正したOFDM時間領域信号を妨害キャンセル部１０７に出力する。
【００８０】
妨害キャンセル部１０７は、アナログ放送妨害検出部１２１による検出結果に応じて、適宜、妨害波としてのアナログ放送波の成分をキャンセルするためのフィルタリング処理を行い、処理結果のOFDM時間領域信号をFFT部１０８に出力する。
【００８１】
図７は、妨害キャンセル部１０７によるフィルタリング処理に用いられる妨害キャンセルフィルタのゲイン特性の例を示す図である。
【００８２】
図７に示すように、妨害キャンセルフィルタは、映像、カラー、音声の各キャリアが存在する周波数帯域に相当するOFDM時間領域信号を減衰もしくは除去するようなゲイン特性を持つフィルタである。
【００８３】
図７の例においては、アナログ放送の映像キャリアのパワーは周波数ｆ2において最大値をとり、その前後の周波数ｆ1，ｆ3においてほぼ０になる。後述するように、０に近くはなるが、アナログ放送の映像キャリアのスペクトルはカラーキャリアの周波数帯域付近にも現れる。
【００８４】
このような周波数特性を有する映像キャリアの成分を減衰もしくは除去するように、妨害キャンセルフィルタのゲイン特性は、周波数ｆ2において０をとり、その前後の周波数ｆ1，ｆ3付近において全信号を通過させるようなものになる。
【００８５】
また、図７の例においては、アナログ放送のカラーキャリアのパワーは周波数ｆ12において最大値をとり、その前後の周波数ｆ11，ｆ13においてほぼ０になる。
【００８６】
このような周波数特性を有するカラーキャリアの成分を減衰もしくは除去するように、妨害キャンセルフィルタのゲイン特性は、周波数ｆ12において０をとり、その前後の周波数ｆ11，ｆ13付近において全信号を通過させるようなものになる。
【００８７】
アナログ放送の音声キャリアのパワーは周波数ｆ22において最大値をとり、その前後の周波数ｆ21，ｆ23においてほぼ０になる。
【００８８】
このような周波数特性を有する音声キャリアの成分を減衰もしくは除去するように、妨害キャンセルフィルタのゲイン特性は、周波数ｆ22において０をとり、その前後の周波数ｆ21，ｆ23付近において全信号を通過させるようなものになる。
【００８９】
アナログ放送波による妨害があることが検出された場合、妨害キャンセル部１０７においては、OFDM時間領域信号に対してこのようなゲイン特性を有する妨害キャンセルフィルタをかけることによってフィルタリング処理が行われる。
【００９０】
妨害キャンセルフィルタは、図７に示すようなゲイン特性のものではなく、要求される性能に応じて適宜変更可能である。
【００９１】
例えば、映像キャリアの周波数帯域に対応する範囲の信号のみを除去するフィルタといったように、アナログ放送の３つのキャリアのうちの少なくともいずれかの周波数帯域に対応する範囲の信号を減衰もしくは除去するようなフィルタを用いることも可能である。
【００９２】
図６の説明に戻り、妨害キャンセル部１０７は、アナログ放送波による妨害が存在しないとアナログ放送妨害検出部１２１により検出された場合、フィルタリング処理を行わない。妨害キャンセル部１０７は、オフセット補正部１０６から供給されたOFDM時間領域信号をそのままFFT部１０８に出力する。
【００９３】
アナログ放送妨害検出部１２１によるアナログ放送による妨害の有無の検出結果は所定のタイミングで繰り返し供給されてくる。
【００９４】
妨害キャンセル部１０７は、妨害があると検出されたためにフィルタリング処理を一旦ONにした場合であっても、その後の検出結果が、妨害がないことを表しているときにはフィルタリング処理をOFFにする。
【００９５】
このように、妨害キャンセルフィルタを用いたフィルタリング処理のON/OFFが、アナログ放送妨害検出部１２１による検出結果に応じて切り替えられる。
【００９６】
FFT部１０８は、シンボル同期信号に従ってFFT区間を設定し、FFT区間内のOFDM時間領域信号を対象としてFFT演算を行う。FFT部１０８は、FFT演算を行うことによって得られたOFDM周波数領域信号を伝送路特性推定部１１０と伝送路歪み補正部１１１に出力する。
【００９７】
伝送路特性推定部１１０は、FFT部１０８からのOFDM周波数領域信号に含まれるSP信号に基づいて各サブキャリアに対する伝送路特性を推定し、伝送路推定値を伝送路歪み補正部１１１とCSI生成部１１２に出力する。
【００９８】
また、伝送路特性推定部１１０は、サブキャリア毎のノイズのパワーを伝送路特性に基づいて推定し、サブキャリア毎のノイズのパワーの推定値をCSI生成部１１２とアナログ放送妨害検出部１２１に出力する。
【００９９】
伝送路歪み補正部１１１は、FFT部１０８からのOFDM周波数領域信号が伝送路で受けた振幅と位相の歪みを補正し、等化信号を誤り訂正部１１３に出力する。
【０１００】
CSI生成部１１２は、サブキャリア毎の伝送路特性とノイズパワーを用いて、サブキャリア毎の信号品質を表す情報を生成し、誤り訂正部１１３に出力する。
【０１０１】
誤り訂正部１１３は、伝送路歪み補正部１１１から供給された等化信号に対してデインタリーブ処理等の各種の処理を施し、復号データを後段に出力する。
【０１０２】
アナログ放送妨害検出部１２１は、伝送路特性推定部１１０により推定されたサブキャリア毎のノイズのパワーがサブキャリア方向に周期的なピークを持っているか否かを判定し、持っていると判定した場合、アナログ放送波による妨害があるものとして判断する。
【０１０３】
すなわち、いま受信しているOFDM信号のチャンネルがアナログ放送波による妨害を受けている場合、アナログ放送波の各キャリアの成分は、伝送路特性推定部１１０において、同じ周波数のサブキャリアに対するノイズとして検出（推定）される。
【０１０４】
後述するようにアナログ放送の映像キャリア等の周波数特性は周期的なピークを持っているから、サブキャリア毎のノイズのパワーがサブキャリア方向に周期的なピークを持つような形で検出された場合、そのことは、アナログ放送波による妨害を受けていることを表す。
【０１０５】
NTSC方式では、映像キャリアだけでなくカラーキャリアの周波数特性も同様に周期的なピークを持つ。従って、映像キャリアとカラーキャリアの両方を利用してアナログ放送波による妨害の有無を検出することが可能になる。
【０１０６】
図８は、アナログ放送の映像キャリアとカラーキャリアのピーク近辺を拡大して示す図である。
【０１０７】
図８の上段左側に示すような、パワーが最大となる周波数ｆ2を中心とした点線で区切る映像キャリアの範囲を拡大して示すと、図８の下段左側に示すようなものになる。
【０１０８】
また、図８の上段右側に示すような、パワーが最大となる周波数ｆ12を中心とした一定のカラーキャリアの範囲を拡大して示すと、図８の下段右側に示すようなものになる。
【０１０９】
すなわち、映像キャリアは周波数ｆH間隔のスペクトルで示され、カラーキャリアも同様に周波数ｆH間隔のスペクトルで示される。周波数ｆHは、アナログ放送信号の水平同期周波数である１５．７３４［kHz］である。
【０１１０】
図８において、カラーキャリアのスペクトルは色を付して示している。色を付して示すカラーキャリアのスペクトルの間に現れるスペクトルＳV1乃至ＳV6は、それぞれ、周波数ｆ2から離れるにつれて減衰しながら広がっている映像キャリアのスペクトルである。
【０１１１】
このように、アナログ放送の映像キャリアとカラーキャリアの周波数特性は周期的なピークを持つ。アナログ放送波による妨害がある場合、伝送路特性推定部１１０により推定される各サブキャリアのノイズのパワーの周波数特性の形は、図８の下段に示すようなアナログ放送の各キャリアの周波数特性の形と同じ形になる。
【０１１２】
ISDB-TのMODE3の場合、サブキャリアの周波数間隔が約０．９９２kHzであり、アナログ放送の水平同期周波数が約１５．７３４kHzであるとすると、１６サブキャリア毎に、そのサブキャリアに対して大きなノイズがあるものとして検出されることになる。
【０１１３】
妨害キャンセルフィルタを適用したフィルタリング処理をONにした場合、周波数ｆ2，ｆ12付近のサブキャリアのノイズのパワーは小さくなるが、周期性は保たれる。
【０１１４】
従って、フィルタリング処理後の信号からでも、アナログ放送波の妨害の有無を検出することが可能になる。
【０１１５】
妨害が続けて存在する場合にはフィルタリング処理をONにし続け、妨害がなくなった場合にはフィルタリング処理をOFFにするように、フィルタリング処理のON/OFFを、フィルタリング処理をONにした後であっても切り替えることが可能になる。
【０１１６】
図９は、図６のアナログ放送妨害検出部１２１の構成例を示すブロック図である。
【０１１７】
図９に示すように、アナログ放送妨害検出部１２１は、正弦波生成部１３１、乗算部１３２、制御部１３３、積分部１３４、および比較部１３５から構成される。
【０１１８】
伝送路特性推定部１１０から出力されたサブキャリア毎のノイズのパワーを表す信号は乗算部１３２に入力される。以下、サブキャリア番号順でｋ番目のサブキャリアのノイズのパワーをＮ［ｋ］とする。
【０１１９】
正弦波生成部１３１は、サブキャリア番号に従って下式（１）で表される正弦波の信号を生成し、乗算部１３２に出力する。ｆHはアナログ放送の水平同期周波数であり、Tuは有効シンボル長である。
【数１】
2010087744.tif 000003
【０１２０】
乗算部１３２は、伝送路特性推定部１１０から供給された各サブキャリアのノイズのパワーを表す信号と、正弦波生成部１３１により生成された正弦波の信号を乗算し、乗算結果を積分部１３４に出力する。乗算部１３２の出力は下式（２）で表される。
【数２】
2010087744.tif 000004
【０１２１】
制御部１３３は、積分の開始位置と終了位置を表す信号を積分部１３４に出力する。
【０１２２】
制御部１３３の出力として図９に示すＶstartは映像信号開始位置を表し、Ｖendは映像信号終了位置を表す。Ｃstartはカラー信号開始位置を表し、Ｃendはカラー信号終了位置を表す。
【０１２３】
積分部１３４においては、Ｖstartで表される位置からＶendで表される位置までの区間を映像信号検出用区間として、その区間内の各サブキャリアのノイズのパワーを表す信号と正弦波の信号との乗算結果が積分される。
【０１２４】
また、積分部１３４においては、Ｃstartで表される位置からＣendで表される位置までの区間をカラー信号検出用区間として、その区間内の各サブキャリアのノイズのパワーを表す信号と正弦波の信号との乗算結果が積分される。
【０１２５】
図１０は、積分の区間の例を示す図である。
【０１２６】
図１０の横軸はサブキャリア番号を表す。図１０に示すように、例えば、Ｋmaxを最大サブキャリア番号とすると、サブキャリア番号が０番のサブキャリアの位置から（Ｋmax／２−１）番のサブキャリアの位置までの区間が映像信号検出用区間となる。映像信号検出用区間は、映像キャリアのパワーが最大になる周波数である周波数ｆ2を含む帯域である。
【０１２７】
また、（Ｋmax／２）番のサブキャリアの位置からＣmax番のサブキャリアの位置までの区間がカラー信号検出用区間となる。Ｃmaxは、カラーキャリアのパワーが最大になる周波数ｆ12と、音声キャリアのパワーが最大になる周波数ｆ22の中心である。カラー信号検出用区間は、カラーキャリアのパワーが最大になる周波数である周波数ｆ12を含む帯域である。
【０１２８】
制御部１３３は、このような映像信号検出用区間とカラー信号検出用区間の開始位置、終了位置を表す信号を積分部１３４に出力する。
【０１２９】
また、制御部１３３は、妨害キャンセル部１０７に出力する検出結果を更新することを指示する信号を比較部１３５に出力する。
【０１３０】
積分部１３４は、下式（３）に従って、乗算部１３２から供給された乗算結果を積分する。
【数３】
2010087744.tif 000005
【０１３１】
式（３）の第１項は映像信号検出用区間を対象とした積分結果を表し、第２項はカラー信号検出用区間を対象とした積分結果を表す。
【０１３２】
図８を参照して説明したように、カラーキャリアのスペクトルは映像キャリアのスペクトルの中央に挿入される。
【０１３３】
映像信号検出用区間を対象とした積分結果とカラー信号検出用区間を対象とした積分結果を合わせた値が最終的に大きくなるようにするためには、本来、カラー信号検出用区間を対象として積分を行うときには正弦波の位相をπ［rad］だけ変化させる必要がある。
【０１３４】
正弦波の位相を変化させない場合、映像信号検出用区間を対象としているときには積分結果の値は計算が進むにつれて徐々に大きくなるが、対象がカラー信号検出用区間に切り替わった後は、計算が進むにつれて積分結果の値は徐々に小さくなってしまう。
【０１３５】
従って、正弦波の位相を変化させるのと同様の計算を行うために、上式（３）においては、映像信号検出用区間を対象とした第１項の積分結果から、カラー信号検出用区間を対象とした第２項の積分結果が引き算されている。
【０１３６】
積分部１３４は、上式（３）の計算結果を比較部１３５に出力する。
【０１３７】
比較部１３５は、積分部１３４による計算結果を表す信号の振幅もしくはパワーを求め、あらかじめ設定されている所定の閾値と比較する。
【０１３８】
比較部１３５は、積分部１３４による計算結果の振幅もしくはパワーが閾値を超えている場合、アナログ放送波による妨害があるものとして判断し、閾値を超えていない場合、アナログ放送波による妨害がないものとして判断する。
【０１３９】
比較部１３５は、判断の結果をアナログ放送波による妨害の有無の検出結果として妨害キャンセル部１０７に出力する。
【０１４０】
比較部１３５による検出結果は、制御部１３３から供給される情報に基づいて例えば所定の時間毎に更新される。
【０１４１】
［受信装置の動作］
図１１のフローチャートを参照して、以上のような構成を有するOFDM受信装置の受信処理について説明する。
【０１４２】
各ステップの処理は、番号順に行われるだけでなく、適宜、他のステップの処理と並行して行われたりもする。
【０１４３】
ステップＳ１において、チューナ１０２の演算部１０２ａは、RF信号をIF信号に周波数変換する。
【０１４４】
ステップＳ２において、BPF１０３は、チューナ１０２からのIF信号をフィルタリングする。
【０１４５】
ステップＳ３において、A/D変換部１０４は、BPF１０３からのIF信号をA/D変換する。
【０１４６】
ステップＳ４において、直交復調部１０５は、A/D変換部１０４からのIF信号を直交復調し、OFDM時間領域信号を出力する。
【０１４７】
ステップＳ５において、オフセット補正部１０６は、OFDM時間領域信号を対象として各種のずれを補正する。
【０１４８】
ステップＳ６において、妨害キャンセル部１０７は、アナログ放送妨害検出部１２１による検出結果に基づいて、アナログ放送波による妨害があることが検出されたか否かを判定する。
【０１４９】
アナログ放送波による妨害があることが検出されたとステップＳ６において判定した場合、ステップＳ７において、妨害キャンセル部１０７は、妨害波としてのアナログ放送波の成分をキャンセルするためのフィルタリング処理を行う。
【０１５０】
一方、アナログ放送波による妨害があることが検出されていないとステップＳ６において判定された場合、ステップＳ７の処理はスキップされる。オフセット補正部１０６から出力されたOFDM時間領域信号は、妨害キャンセル部１０７を介してそのままFFT部１０８に供給される。
【０１５１】
ステップＳ８において、FFT部１０８は、FFT区間内のOFDM時間領域信号を対象としてFFT演算を行い、OFDM周波数領域信号を出力する。
【０１５２】
ステップＳ９において、伝送路特性推定部１１０は、OFDM時間領域信号に含まれるSP信号に基づいて全サブキャリアに対する伝送路特性を推定する。
【０１５３】
ステップＳ１０において、伝送路特性推定部１１０は、サブキャリア毎のノイズのパワーを伝送路特性に基づいて推定する。
【０１５４】
ステップＳ１１において、伝送路歪み補正部１１１は、OFDM周波数領域信号が伝送路で受けた振幅と位相の歪みを伝送路推定値に基づいて補正する。
【０１５５】
ステップＳ１２において、アナログ放送妨害検出部１２１は、上述したように、サブキャリア毎のノイズのパワーがサブキャリア方向に周期的なピークを持っているか否かに基づいて、アナログ放送波による妨害の有無を検出し、検出結果を出力する。
【０１５６】
ステップＳ１３において、CSI生成部１１２は、サブキャリア毎の信号品質を表す情報を生成する。
【０１５７】
ステップＳ１４において、誤り訂正部１１３は、等化信号に対して各種の処理を施すことによって得られた復号データを出力し、処理を終了させる。
【０１５８】
以上の処理が、所定のチェンネルのOFDM信号の受信が行われている間、繰り返される。
【０１５９】
以上のように、各サブキャリアに対するノイズのパワーの周期性に基づいて検出するようにしたため、マルチパスの状況とは無関係に、アナログ放送波による妨害の有無を精度良く検出することができる。
【０１６０】
すなわち、OFDM周波数領域信号のパワーに基づいて妨害の有無を検出する場合、マルチパスの状況によってはアナログ放送のキャリアと同じ周波数帯域にパワーの強い信号が現れ、誤検出が起こることがあるが、そのような誤検出の影響を受けないで済む。
【０１６１】
また、フィルタリング処理後の信号からでも、アナログ放送波の妨害の有無を検出することができ、フィルタリング処理のON/OFFを、フィルタリング処理をONにした後であっても切り替えることが可能になる。
【０１６２】
以上においては、映像信号検出用区間を対象とした積分結果とカラー信号検出用区間を対象とした積分結果に基づいて妨害の有無を検出するものとしたが、一方の区間を対象とした積分結果に基づいて検出するようにしてもよい。
【０１６３】
なお、アナログ放送の音声キャリアはFM変調されており、その周波数特性は周期的なピークを持つような形で現れないため、アナログ放送波の妨害の有無の検出に用いることができない。
【０１６４】
＜変形例＞
図１２は、アナログ放送妨害検出部１２１の他の構成例を示すブロック図である。
【０１６５】
図１２の構成のうち、図９の構成と対応する構成には同じ符号を付してある。重複する説明については適宜省略する。
【０１６６】
図１２の例においては、各サブキャリアのノイズのパワーに乗算する正弦波として、図９の正弦波生成部１３１が生成する正弦波の２倍の周波数の正弦波が用いられる。
【０１６７】
正弦波生成部１３１は、サブキャリア番号に従って下式（４）で表される正弦波の信号を生成し、乗算部１３２に出力する。
【数４】
2010087744.tif 000006
【０１６８】
乗算部１３２は、伝送路特性推定部１１０から供給された各サブキャリアのノイズのパワーを表す信号と、正弦波生成部１３１により生成された正弦波の信号を乗算し、乗算結果を積分部１３４に出力する。乗算部１３２の出力は下式（５）で表される。
【数５】
2010087744.tif 000007
【０１６９】
制御部１３３は、積分の開始位置と終了位置を表す信号を積分部１３４に出力する。
【０１７０】
制御部１３３の出力として図１２に示すstartは積分の開始位置を表し、endは積分の終了位置を表す。
【０１７１】
図１３は、積分の区間の例を示す図である。
【０１７２】
図１３の横軸はサブキャリア番号を表す。図１３に示すように、例えば、サブキャリア番号が０番のサブキャリアの位置からＣmax番のサブキャリアの位置までの区間が積分区間となる。積分区間は、映像キャリアのパワーが最大になる周波数である周波数ｆ2と、カラーキャリアのパワーが最大になる周波数である周波数ｆ12を含む帯域である。
【０１７３】
積分部１３４は、下式（６）に従って、乗算部１３２から供給された乗算結果を積分する。
【数６】
2010087744.tif 000008
【０１７４】
図８を参照して説明したように、カラーキャリアのスペクトルは映像キャリアのスペクトルの中央に挿入されるが、水平同期周波数の倍の周波数の正弦波を用いるようにしたため、図９の場合とは異なり、対象とする区間毎に符号を替えて積分を行う必要がない。
【０１７５】
比較部１３５は、積分部１３４による積分結果を表す信号の振幅もしくはパワーを求め、閾値と比較する。
【０１７６】
比較部１３５は、積分部１３４による積分結果の振幅もしくはパワーが閾値を超えている場合、アナログ放送波による妨害があるものとして判断し、閾値を超えていない場合、アナログ放送波による妨害がないものとして判断する。
【０１７７】
＜他の変形例＞
以上においては、アナログ放送の方式がNTSC方式である場合について説明したが、PAL方式やSECAM方式などの他の方式のアナログ放送による妨害の有無についても同様にして検出可能である。すなわち、周波数特性が周期的なピークを持っているような妨害波であればそれによる妨害の有無を検出することができる。
【０１７８】
図１４は、PAL方式のアナログ放送の映像キャリアとカラーキャリアのピーク近辺を拡大して示す図である。
【０１７９】
図１４の上段左側に示すような、パワーが最大となる周波数ｆ2を中心とした点線で区切る映像キャリアの範囲を拡大して示すと、図１４の下段左側に示すようなものになる。映像キャリアは周波数ｆH間隔のスペクトルで示される。
【０１８０】
また、図１４の上段右側に示すような、パワーが最大となる周波数ｆ12を中心とした一定のカラーキャリアの範囲を拡大して示すと、図１４の下段右側に示すようなものになる。カラーキャリアにはＶ信号とＵ信号があり、Ｖ信号の１つのスペクトルとＵ信号の１つのスペクトルが映像キャリアの各スペクトルの間に挿入される。
【０１８１】
映像キャリアのスペクトルとカラーキャリアのＶ信号のスペクトルの間隔は、図１４の下段に示すように周波数ｆH／４だけある。
【０１８２】
例えば、図９のアナログ放送妨害検出部１２１において用いられる正弦波の周波数を４倍にした正弦波を用いることによって、各サブキャリアのノイズのパワーの周期性に基づいてアナログ放送波による妨害の有無を検出することが可能になる。
【０１８３】
このように、検出対象になる妨害波の周波数特性に現れるピークの周期に応じて、図９のアナログ放送妨害検出部１２１において用いられる正弦波の周波数を整数倍にした周波数の正弦波を用いることも可能である。
【０１８４】
サブキャリア毎のノイズのパワーの周波数特性が水平同期周波数と同じ周波数の周期性を持つかに基づいて妨害の有無が検出されるものとしたが、水平同期周波数ではなく、垂直同期周波数と同じ周波数の周期性を持つかに基づいて検出されるようにしてもよい。
【０１８５】
図６のOFDM受信装置にアナログ放送用のチューナが設けられるようにしてもよい。
【０１８６】
この場合、アナログ放送用のチューナによって、チューナ１０２が受信しているチャンネルと同じチャンネルを受信し、アナログ放送を受信できたときにアナログ放送波による妨害があるものとして判断される。
【０１８７】
＜ノイズの推定について＞
ここで、伝送路特性推定部１１０による、サブキャリア毎のノイズのパワーの推定の例について説明する。
【０１８８】
FFT後のデータは、下式（７）のように表される。ここで、YはFFT出力、Xは送信シンボル、Hは伝送路特性、Nはノイズを表す。また、mはシンボル番号を表し、kはキャリア番号を表す。
【数７】
2010087744.tif 000009
【０１８９】
式（７）において、Xm,kがSP信号であるとすると、この値は既知である。ISDB-Tの場合、Xm,kの値は＋４／３、もしくは、−４／３という値になる。
【０１９０】
これに、伝送路特性Hの推定値を用いると、下式（８）の計算により、瞬時のノイズ項の推定値を得ることができる。“~”は、それが付加されている値が推定値であることを表す。
【数８】
2010087744.tif 000010
【０１９１】
伝送路特性の推定値が理想的なものである場合、式（８）の第１項は０となり、ノイズそのものを得ることができる。
【０１９２】
アナログ放送による妨害の有無の検出に用いるために求めたいのはノイズのパワーである。SP信号があるキャリア毎に、SP信号が到来する毎にノイズの推定値を求め、２乗処理することによって瞬時のノイズのパワーを算出し、フィルタリング処理によって時間方向に平均化する。ノイズのパワーPは下式（９）により表される。
【数９】
2010087744.tif 000011
【０１９３】
SP信号が到来したタイミングではPの値を更新し、SP信号が到来したタイミングでない場合は直前のPの値を保持する。これによって、SP信号が挿入されている３サブキャリア毎のノイズパワーの推定値を得ることができる。
【０１９４】
伝送路特性の推定と同様に、ノイズパワーの推定値についても周波数方向に補間処理を行うことによって、全サブキャリアに対するノイズパワーの推定値を得ることができる。
【０１９５】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または汎用のパーソナルコンピュータなどに、プログラム記録媒体からインストールされる。
【０１９６】
図１５は、上述した一連の処理をプログラムにより実行するコンピュータのハードウエアの構成例を示すブロック図である。
【０１９７】
CPU(Central Processing Unit)２０１、ROM(Read Only Memory)２０２、RAM(Random Access Memory)２０３は、バス２０４により相互に接続されている。
【０１９８】
バス２０４には、さらに、入出力インタフェース２０５が接続されている。入出力インタフェース２０５には、キーボード、マウスなどよりなる入力部２０６、ディスプレイ、スピーカなどよりなる出力部２０７が接続される。また、バス２０４には、ハードディスクや不揮発性のメモリなどよりなる記憶部２０８、ネットワークインタフェースなどよりなる通信部２０９、リムーバブルメディア２１１を駆動するドライブ２１０が接続される。
【０１９９】
以上のように構成されるコンピュータでは、CPU２０１が、例えば、記憶部２０８に記憶されているプログラムを入出力インタフェース２０５及びバス２０４を介してRAM２０３にロードして実行することにより、上述した一連の処理が行われる。
【０２００】
CPU２０１が実行するプログラムは、例えばリムーバブルメディア２１１に記録して、あるいは、ローカルエリアネットワーク、インターネット、デジタル放送といった、有線または無線の伝送媒体を介して提供され、記憶部２０８にインストールされる。
【０２０１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０２０２】
本発明の実施の形態は、上述した実施の形態に限定されるものではなく、本発明の要旨を逸脱しない範囲において種々の変更が可能である。
【図面の簡単な説明】
【０２０３】
【図１】OFDMシンボルを示す図である。
【図２】SP信号のOFDMシンボル内での配置パターンを示す図である。
【図３】従来のOFDM受信装置の構成例を示すブロック図である。
【図４】デジタル放送の周波数とNTSC方式のアナログ放送の周波数の関係を示す図である。
【図５】アナログ放送波による妨害の有無についての従来の検出方法について示す図である。
【図６】本発明の一実施形態に係るOFDM受信装置の構成例を示す図である。
【図７】妨害キャンセルフィルタのゲイン特性の例を示す図である。
【図８】アナログ放送の映像キャリアとカラーキャリアのピーク近辺を拡大して示す図である。
【図９】図６のアナログ放送妨害検出部の構成例を示すブロック図である。
【図１０】積分の区間の例を示す図である。
【図１１】OFDM受信装置の受信処理について説明するフローチャートである。
【図１２】図６のアナログ放送妨害検出部の他の構成例を示すブロック図である。
【図１３】積分の区間の例を示す図である。
【図１４】PAL方式のアナログ放送の映像キャリアとカラーキャリアのピーク近辺を拡大して示す図である。
【図１５】コンピュータのハードウエアの構成例を示すブロック図である。
【符号の説明】
【０２０４】
１０７  妨害キャンセル部，  １０８  FFT部，  １１０  伝送路特性推定部，  １１１  伝送路歪み補正部，  １２１  アナログ放送妨害検出部，  １３１  正弦波生成部，  １３２  乗算部，  １３３  制御部，  １３４  積分部，  １３５  比較部
【図１】
2010087744.tif 000012
【図２】
2010087744.tif 000013
【図３】
2010087744.tif 000014
【図４】
2010087744.tif 000015
【図５】
2010087744.tif 000016
【図６】
2010087744.tif 000017
【図７】
2010087744.tif 000018
【図８】
2010087744.tif 000019
【図９】
2010087744.tif 000020
【図１０】
2010087744.tif 000021
【図１１】
2010087744.tif 000022
【図１２】
2010087744.tif 000023
【図１３】
2010087744.tif 000024
【図１４】
2010087744.tif 000025
【図１５】
2010087744.tif 000026